(57)【要約】    【課題】水分で消去可能なインクによる筆記跡を確実に消すことができ、しかも、筆記面を乾燥した状態に保つことのできるイレーザー装置の提供。    【解決手段】ＰＶＡスポンジで保水性の拭き取り材２を構成する。拭き取り材２をイレーザー本体３で保持する。イレーザー本体３をホルダー４で着脱自在に保持する。イレーザー本体３をホルダー４で保持した状態で形成される収容空間に拭き取り材２を収容して乾燥を防止する。拭き取り材２で筆記面を拭き取ることにより、筆記面に水分を供給して筆記跡を消しつつ、筆記面の水分を残すことなく拭き取る。水分で消去可能なインクによる筆記跡を消すことができる。【選択図】  図１
2009000965.tif 000002
【特許請求の範囲】
【請求項１】
水分で消去可能なインクによる筆記跡を消すよう水分を供給しつつ拭き取る保水性の拭き取り材と、該拭き取り材を保持するイレーザー本体と、該イレーザー本体を着脱自在に保持するホルダーとを備え、前記イレーザー本体は、前記拭き取り材の拭き取り面と反対側の保持部分を覆うキャップ形状とされ、前記ホルダーには、前記拭き取り材の拭き取り面側を収容可能な収容凹部が形成され、前記イレーザー本体をホルダーに保持した状態で、前記ホルダーの収容凹部の周縁に前記イレーザー本体の周縁部が接触することにより、その内部に前記拭き取り材の乾燥を防止するための収容空間が形成されたことを特徴とするイレーザー装置。
【請求項２】
前記拭き取り材は、ＰＶＡスポンジとされたことを特徴とする請求項１に記載のイレーザー装置。
【請求項３】
前記収容空間に、前記拭き取り材に接触して給水する給水材が設けられたことを特徴とする請求項１又は２に記載のイレーザー装置。
【請求項４】
前記ホルダーは、イレーザー本体を鉛直方向に対して傾斜する方向に嵌め込んで保持することを特徴とする請求項１、２又は３に記載のイレーザー装置。
【発明の詳細な説明】
【技術分野】
【０００１】
本発明は、水分で消去可能なインクによる筆記跡を消すためのイレーザー装置に関するものである。
【背景技術】
【０００２】
近年、例えばホワイトボードに筆記するためのマーカーペンとして、水分で消去可能なインクを用いることにより、その筆記跡を水分で消すことができるようにしたマーカーペンが提供されている。
【０００３】
このようなマーカーペンによる筆記跡を消すためのイレーザーとして、特許文献１は、水分を供給して筆記面を拭き取るための水分導出材と、筆記面に残った水分を吸収して早期に再度の筆記を可能にするための水分吸収・乾燥材とを備えたイレーザーを開示している。
【特許文献１】特開２０００−１２７６８６号公報（段落番号００１６、００１７）
【発明の開示】
【発明が解決しようとする課題】
【０００４】
ところが、特許文献１のイレーザーは、水分導出材が供給した余分な水分を水分吸収・乾燥材が吸収する構成であるので、イレーザーの使用頻度が高いほど、水分導出材の供給する水分が不足して筆記跡を消せなくなったり、あるいは、水分吸収・乾燥材による吸水が不十分になって筆記面に筆記できなくなったりしやすい。
【０００５】
本発明は、水分で消去可能なインクによる筆記跡を確実に消すことができ、しかも、筆記面を乾燥した状態に保つことのできるイレーザー装置の提供を目的とする。
【課題を解決するための手段】
【０００６】
上記目的を達成するため、本発明に係るイレーザー装置は、水分で消去可能なインクによる筆記跡を消すよう水分を供給しつつ拭き取る保水性の拭き取り材と、この拭き取り材を保持するイレーザー本体と、このイレーザー本体を着脱自在に保持するホルダーとを備えたものである。さらに、イレーザー本体を、拭き取り材の拭き取り面と反対側の保持部分を覆うキャップ形状とし、ホルダーに、拭き取り材の拭き取り面側を収容可能な収容凹部を形成し、イレーザー本体をホルダーに保持した状態で、ホルダーの収容凹部の周縁にイレーザー本体の周縁部を接触させることにより、その内部に拭き取り材の乾燥を防止するための収容空間を形成する。
【０００７】
上記構成によれば、保水性の拭き取り材が水分を供給しつつ拭き取って筆記跡を消すので、筆記跡を消した後の水分を拭き取り材に戻すことができ、イレーザー装置の使用頻度が高い場合であっても、拭き取り材の水分量を適量に保つことができる。さらに、イレーザー本体とホルダーとで囲んだ収容空間に拭き取り材を収容するので、イレーザー本体をホルダーに装着するだけで、専用のキャップなどを用いることなく、拭き取り材の乾燥を防止することができる。これにより、筆記面を乾燥した状態に保ちつつ、水分で消去可能なインクによる筆記跡を確実に消すことができる。
【０００８】
また、保水性及び吸水性の高い拭き取り材を用いることにより、筆記面に十分な量の水分を供給しつつ、その高い吸水性によって余分な水分を吸収することができ、この保水性及び吸水性の高い拭き取り材として、ＰＶＡスポンジを例示できる。ここで、ＰＶＡスポンジは、ＰＶＡ（ポリビニルアルコール）を原料とするＰＶＦ（ポリビニルホルマール）に気孔を形成してなるＰＶＦスポンジの総称である。
【０００９】
収容空間に、拭き取り材に接触して給水する給水材を設ければ、長時間にわたって拭き取り材の乾燥を防止して、その水分量を適量に保つことができる。なお、給水材としては、拭き取り材と同じものを用いることができ、その保水性の高いＰＶＡスポンジを例示できる。また、拭き取り材及びこれに接触する給水材に、吸水力及び保水力が同じ同素材のものを用いることで、両者の保水状態を均一かつ一定に保つことができるので、より長時間にわたって均一の保水状態を保つことができる。
【００１０】
ホルダーに、イレーザー本体を鉛直方向に対して傾斜する方向に嵌め込んで保持するようにすれば、イレーザー本体のホルダーからの脱落を防止しつつ、イレーザー本体を着脱しやすくすることができ、しかも、イレーザー本体を水平に向けて上下に嵌め込む構造のような、ホルダーの突出を抑えることができる。
【発明の効果】
【００１１】
以上の説明から明らかな通り、本発明によると、保水性の拭き取り材が水分を供給しつつ拭き取って筆記跡を消すので、イレーザー装置の使用頻度が高い場合であっても、拭き取り材の水分を適量に保つことができる。しかも、イレーザー本体とホルダーとで形成する収容空間に拭き取り材を収容するので、キャップの着脱などの手間を省略しつつ拭き取り材の乾燥を防止することができる。これにより、筆記面を乾燥状態に保ちつつ、水分で消去可能なインクによる筆記跡を確実に消すことができる。
【発明を実施するための最良の形態】
【００１２】
以下、本発明に係るイレーザー装置の実施の形態について、図面を用いて説明する。図１は本発明に係るイレーザー装置の斜視図であり、ホルダーからイレーザー本体を外した状態を示す。図２はイレーザー装置の斜視図であり、ホルダーでイレーザー本体を保持した状態を示す。図３はイレーザー装置の分解斜視図である。
【００１３】
イレーザー装置１は、例えば、水分で消去可能なインクを用いたマーカーペンでホワイトボードなどの筆記面に記入した筆記跡を消すためのものであり、筆記面に水分を供給しつつ拭き取る保水性の拭き取り材２と、拭き取り材２を保持するイレーザー本体３と、イレーザー本体３を着脱自在に保持するホルダー４とを備えている。
【００１４】
拭き取り材２は、例えば、図示のように直方体状とされ、ＰＶＡスポンジなどの保水性及び吸水性の高い素材から形成される。
【００１５】
イレーザー本体３は、例えばポリプロピレンなどの合成樹脂からなり、拭き取り材２の拭き取り面と反対側の保持部分を覆う直方体状のキャップ形状（箱形状）に形成される。このイレーザー本体３の内面側に拭き取り材２が無理嵌めされる。イレーザー本体３は、拭き取り材２を弾性変形させて嵌め込むことができるよう、その開口の大きさが拭き取り材２の外形よりも５％〜１０％小さく形成される。また、イレーザー本体３は、その周縁部に外方に突出する鍔５が形成され、該鍔５の拭き取り面側が、ホルダー４で保持した状態でホルダー４の周縁部に接触する。
【００１６】
ホルダー４は、例えばポリプロピレンなどの合成樹脂からなり、ビスや粘着テープ、又はマグネットシートなどの磁石などを用いて、背面を筆記面などに取り付けるようになっている。ホルダー４の背面側には、超音波溶着や接着、ビス留めによって蓋板７が取り付けられ、ホルダー４の背面側の開口を塞いでいる。さらに、ホルダー４と蓋板７との間には、鉄やステンレスなどの磁性板８が介在され、ホルダー４の正面側にマグネット付きのペンなどを保持できるようになっている。
【００１７】
ホルダー４の正面側には、拭き取り材２の拭き取り面側を収容可能な収容凹部６が鉛直方向に対して傾斜して形成され、イレーザー本体３を鉛直方向に対して傾斜する方向に嵌め込んで保持するようになっている。このホルダー４でイレーザー本体３を保持した状態で、ホルダー４の収容凹部６の周縁にイレーザー本体３の鍔５が接触することにより、その内部に拭き取り材２の乾燥を防止するための収容空間が形成される。
【００１８】
上記構成によれば、イレーザー本体３に装着する拭き取り材２をＰＶＡスポンジなどの保水性及び吸水性の高い素材から形成するので、この拭き取り材２で筆記面を拭き取ることにより、筆記面に水分を供給して、水分で消去可能なインクによる筆記跡を消しつつ、その水分を吸い取って筆記面を乾燥状態に保つことができる。これにより、筆記跡を拭き取って消した後、早期に再度の記入を可能にすることができる。
【００１９】
また、拭き取り材２が、筆記面に供給した水分を残すことなく吸い取り、しかも、イレーザー本体３をホルダー４で保持するだけで、拭き取り材２を収容空間に収容して乾燥を防止することができるので、拭き取り材２の保水量を適量に保つことができる。
【００２０】
なお、本発明は、上記の実施の形態に限定されるものではなく、本発明の範囲内において、適宜変更を加えることができる。例えば、収容空間に、拭き取り材２に接触して給水するよう、例えばＰＶＡスポンジからなる給水材を設けて、拭き取り材２の乾燥を長時間にわたって防止するようにしてもよい。また、拭き取り材の形状は、上記実施形態のように直方体形状に限らず、円柱形、半球状、球状、円筒形、角柱など、様々な形状を採用することができ、これに対応して、イレーザー本体の形状もそれぞれ対応して形成することができる。
【図面の簡単な説明】
【００２１】
【図１】本発明に係るイレーザー装置の斜視図であり、ホルダーからイレーザー本体を外した状態を示す
【図２】イレーザー装置の斜視図であり、ホルダーでイレーザー本体を保持した状態を示す
【図３】イレーザー装置の分解斜視図
【符号の説明】
【００２２】
１    イレーザー装置
２    拭き取り材
３    イレーザー本体
４    ホルダー
５    鍔
６    収容凹部
７    蓋板
８    磁性板
【図１】
2009000965.tif 000003
【図２】
2009000965.tif 000004
【図３】
2009000965.tif 000005